【手続補正書】
【提出日】平成26年1月20日(2014.1.20)
【手続補正１】
【補正対象書類名】特許請求の範囲
【補正対象項目名】全文
【補正方法】変更
【補正の内容】
【特許請求の範囲】
【請求項１】
記録媒体に記録を行う記録装置であって、
所定の事象の発生に応じて実行するコマンドと当該コマンドの実行可能回数を含む一覧情報を不揮発的に記憶する不揮発性メモリーと、
前記所定の事象が発生した場合、前記一覧情報に含まれる前記コマンドを実行する制御部と、を備え、
前記一覧情報の前記コマンドには、前記不揮発性メモリーへ所定の情報の書き込みを伴う所定コマンドが含まれており、
前記制御部は、
前記実行可能回数の範囲内で、前記所定コマンドを実行することを特徴とする記録装置。
【請求項２】
前記制御部は、
前記所定コマンドを実行すると、前記実行可能回数を減算し、
前記実行可能回数が無くなった前記所定コマンドについては、前記一覧情報から削除することを特徴とする請求項１に記載の記録装置。
【請求項３】
前記記録装置は、コンピューターに接続可能であり、
前記所定の事象には、前記記録装置が電源オンになったことや、前記コンピューターから初期化処理に関するコマンドを受信したこと、前記記録装置が備えている入力部から所定の入力があったこと、が含まれ、
前記制御部が、前記所定の事象のいずれかを検知したとき、前記一覧情報に含まれる前記コマンドを実行することを特徴とする請求項１または２に記載の記録装置。
【請求項４】
前記一覧情報に含まれる前記コマンドは、前記制御部が前記コンピューターから受信して実行することが可能である形式のものであることを特徴とする請求項３に記載の記録装置。
【請求項５】
前記一覧情報に含まれる前記所定コマンドは、前記不揮発性メモリーに所定のフォント情報を書き込むものであることを特徴とする請求項１から４のいずれかに記載の記録装置。
【請求項６】
前記不揮発性メモリーには、他の記録装置と少なくとも一部が共通するフォームウェアが記憶され、
前記一覧情報に含まれる前記コマンドは、前記他の記録装置とは異なる処理または設定をするものが含まれることを特徴とする請求項１から５のいずれかに記載の記録装置。
【請求項７】
所定の事象の発生に応じて実行するコマンドと当該コマンドの実行可能回数を含む一覧情報を不揮発的に記憶する不揮発性メモリーを備え、記録媒体に記録を行う記録装置の制御方法であって、
前記一覧情報の前記コマンドには、前記不揮発性メモリーへ所定の情報の書き込みを伴う所定コマンドが含まれており、
前記所定の事象が発生した場合、前記一覧情報に含まれる前記コマンドを実行し、その際、前記所定コマンドについては前記実行可能回数の範囲内で実行することを特徴とする記録装置の制御方法。
【請求項８】
所定の事象の発生に応じて実行するコマンドと当該コマンドの実行可能回数を含む一覧情報を不揮発的に記憶する不揮発性メモリーを備え、記録媒体に記録を行う記録装置を制御する制御部により実行されるプログラムであって、
前記一覧情報の前記コマンドには、前記不揮発性メモリーへ所定の情報の書き込みを伴う所定コマンドが含まれており、
前記制御部を、
前記所定の事象が発生した場合、前記一覧情報に含まれる前記コマンドを実行し、その際、前記所定コマンドについては前記実行可能回数の範囲内で実行する制御部として機能させることを特徴とするプログラム。
【手続補正２】
【補正対象書類名】明細書
【補正対象項目名】０００５
【補正方法】変更
【補正の内容】
【０００５】
（実施例１）
記録媒体に記録を行う記録装置であって、
所定の事象の発生に応じて実行するコマンドと当該コマンドの実行可能回数を含む一覧情報を不揮発的に記憶する不揮発性メモリーと、
前記所定の事象が発生した場合、前記一覧情報に含まれる前記コマンドを実行する制御部と、を備え、
前記一覧情報の前記コマンドには、前記不揮発性メモリーへ所定の情報の書き込みを伴う所定コマンドが含まれており、
前記制御部は、
前記実行可能回数の範囲内で、前記所定コマンドを実行することを特徴とする記録装置。
（実施例２）
前記制御部は、
前記所定コマンドを実行すると、前記実行可能回数を減算し、
前記実行可能回数が無くなった前記所定コマンドについては、前記一覧情報から削除することを特徴とする上述の記録装置。
（実施例３）
前記記録装置は、コンピューターに接続可能であり、
前記所定の事象には、前記記録装置が電源オンになったことや、前記コンピューターから初期化処理に関するコマンドを受信したこと、前記記録装置が備えている入力部から所定の入力があったこと、が含まれ、
前記制御部が、前記所定の事象のいずれかを検知したとき、前記一覧情報に含まれる前記コマンドを実行することを特徴とする上述の記録装置。
（実施例４）
前記一覧情報に含まれる前記コマンドは、前記制御部が前記コンピューターから受信して実行することが可能である形式のものであることを特徴とする上述の記録装置。
（実施例５）
前記一覧情報に含まれる前記所定コマンドは、前記不揮発性メモリーに所定のフォント情報を書き込むものであることを特徴とする上述の記録装置。
（実施例６）
前記不揮発性メモリーには、他の記録装置と少なくとも一部が共通するフォームウェアが記憶され、
前記一覧情報に含まれる前記コマンドは、前記他の記録装置とは異なる処理または設定をするものが含まれることを特徴とする上述の記録装置。
（実施例７）
所定の事象の発生に応じて実行するコマンドと当該コマンドの実行可能回数を含む一覧情報を不揮発的に記憶する不揮発性メモリーを備え、記録媒体に記録を行う記録装置の制御方法であって、
前記一覧情報の前記コマンドには、前記不揮発性メモリーへ所定の情報の書き込みを伴う所定コマンドが含まれており、
前記所定の事象が発生した場合、前記一覧情報に含まれる前記コマンドを実行し、その際、前記所定コマンドについては前記実行可能回数の範囲内で実行することを特徴とする記録装置の制御方法。
（実施例８）
所定の事象の発生に応じて実行するコマンドと当該コマンドの実行可能回数を含む一覧情報を不揮発的に記憶する不揮発性メモリーを備え、記録媒体に記録を行う記録装置を制御する制御部により実行されるプログラムであって、
前記一覧情報の前記コマンドには、前記不揮発性メモリーへ所定の情報の書き込みを伴う所定コマンドが含まれており、
前記制御部を、
前記所定の事象が発生した場合、前記一覧情報に含まれる前記コマンドを実行し、その際、前記所定コマンドについては前記実行可能回数の範囲内で実行する制御部として機能させることを特徴とするプログラム。
上記目的を達成するために、本発明は、記録媒体に記録を行う記録装置であって、各種データを不揮発的に記憶する不揮発性メモリーと、所定の事象が発生した場合、前記所定の事象が発生した場合に実行すべきコマンドとして予め記憶部に記憶された一覧情報（テーブル）に基づいて、前記一覧情報に含まれるコマンドを実行する制御部と、を備え、前記制御部は、前記一覧情報に含まれるコマンドのうち、前記不揮発性メモリーへの書き込みを伴う処理に係るコマンドについては、所定の回数以上の実行を禁止することを特徴とする。
この構成によれば、不揮発性メモリーに書き込みを行った場合書き込み後の内容が保持されるという特性を利用して、所定の事象が発生した場合であっても、一覧情報に含まれるコマンドのうち、不揮発性メモリーへの書き込みを伴う処理に係るコマンドについて、必要以上に実行されることを防止でき、不揮発性メモリーの長寿命化を実現できる。